(57)【要約】【課題】  記録媒体上に記録されたコンテンツに関連する外部コンテンツを、ネットワーク上からダウンロードして、コンテンツ作成者が意図した適切な再生制御ができるようにし、また再生装置の記憶手段のメモリ空間を有効に利用できるようにする。【解決手段】  記録媒体上の情報及び関連情報の再生を制御するプログラムであって、記録媒体上に記録されている所定の情報に関連した特定情報を外部から取得するステップと、前記特定情報の再生条件を外部から取得するステップと、記録媒体の媒体識別情報を取得するステップとを有し、特定情報を取得した場合には、再生装置内の記憶装置に、前記媒体識別情報との関連付けを行い、前記再生条件とともに記憶するように制御を行うことを特徴とするプログラムを用いる。【選択図】図１
2005092473.tif 000002
【特許請求の範囲】
【請求項１】
記録媒体上の情報及び関連情報の再生を制御するプログラムであって、
記録媒体上に記録されている所定の情報に関連した特定情報を外部から取得するステップと、
前記特定情報の再生条件を外部から取得するステップと、
記録媒体の媒体識別情報を取得するステップとを有し、
特定情報を取得した場合には、再生装置内の記憶装置に、前記媒体識別情報との関連付けを行い、前記再生条件とともに記憶するように制御を行うことを特徴とするプログラム。
【請求項２】
記録媒体上の情報及び関連情報の再生を制御するプログラムであって、
再生装置内の記憶装置に記憶した特定情報の再生条件を判定するステップと、
記録媒体の媒体識別情報を取得するステップを有し、
記録媒体上に記録されている所定の情報に関連した特定情報を再生する場合には、前記再生条件を判定し、判定の結果が再生可能であれば特定情報を再生するように制御を行うことを特徴とするプログラム。
【請求項３】
記録媒体上の情報及び関連情報の再生を制御するプログラムであって、
再生装置内の記憶装置に記憶した特定情報を削除するステップと、
再生装置内の記憶装置に記憶した前記特定情報の再生条件を削除するステップを有し、
前記再生条件を判定し、判定の結果が再生不可であれば前記特定情報および前記再生条件を再生装置内の記憶装置から削除するように制御を行うことを特徴とするプログラム。
【請求項４】
請求項３に記載のプログラムであって、
前記特定情報および前記再生条件の削除確認を行うステップを有し、
前記削除確認を行った結果が「削除実行」であるならば、前記特定情報および前記再生条件を削除するように制御を行うことを特徴とするプログラム。
【請求項５】
請求項３に記載のプログラムであって、
前記特定情報および前記再生条件の削除確認の実行要否を判定するステップと、
前記特定情報および前記再生条件の削除確認を行うステップを有し、
前記削除確認の実行要否を判定した結果が「確認要」であるならば、前記削除確認を実行し、さらに前記削除確認を行った結果が「削除実行」であるならば、前記特定情報および前記再生条件を削除するように制御を行うことを特徴とするプログラム。
【請求項６】
情報を記録した記録媒体であって、
請求項１ないし請求項５に記載のプログラムを記録したことを特徴とする記録媒体。
【請求項７】
記録媒体から情報を再生する再生装置であって、
記録媒体に記録された媒体識別情報を読み取る識別情報取得手段と、
外部から情報を取得する外部情報取得手段と、
前記外部情報取得手段により取得された特定情報および前記特定情報の再生条件を記憶する記憶装置と、
前記再生条件を解析する判定手段と、
記録媒体に記録された所定の情報、及び前記記憶装置に記憶された特定情報を再生する再生手段とを有することを特徴とする再生装置。
【請求項８】
請求項７に記載の再生装置において、
さらに記録媒体に記録されたプログラムを読み出して実行を行うプログラム実行手段を備え、
前記記録媒体は、請求項６に記載のものであることを特徴とする再生装置。
【請求項９】
請求項７に記載の再生装置において、
請求項１ないし請求項５に記載のプログラムを内蔵したことを特徴とする再生装置。
【請求項１０】
請求項８あるいは請求項９に記載の再生装置であって、
記録媒体が挿入されていない場合でも、前記判定手段は前記記憶装置に記憶された前記再生条件の解析を行い、前記再生手段は前記記憶装置に記憶された特定情報の再生を行うことを特徴とする再生装置。
【請求項１１】
請求項８あるいは請求項９に記載の再生装置であって、
記録媒体が挿入されていない場合でも、前記判定手段は前記記憶装置に記憶された前記再生条件の解析を行い、前記再生手段は前記記憶装置に記憶された特定情報および再生条件の削除を行うことを特徴とする再生装置。
【発明の詳細な説明】
【技術分野】
【０００１】
本発明は、記録媒体から情報を再生する再生装置及び再生時に使用するプログラム、さらには前記プログラムが記録された記録媒体に関するものである。
【背景技術】
【０００２】
ＣＤやＤＶＤプレーヤなどのＡＶ機器において、記録媒体上に記録されたコンテンツを管理するために、記録媒体自身あるいはネットワーク上から情報を取得し、目次情報を生成するという方法が考えられている（例えば、特許文献１参照）。
【０００３】
近年ネットワークの広帯域化が進み、ネットワーク上には小容量の情報だけではなく、映画タイトル用の字幕情報や、画像、音声など多種多様のコンテンツが用意されるようになっている。
【０００４】
【特許文献１】特開２００１−３０７４６４
【発明の開示】
【発明が解決しようとする課題】
【０００５】
上記背景により、いわゆる光ディスクなどを記録媒体とするＡＶ機器において、記録媒体上に記録されたコンテンツに関連する外部コンテンツを、ネットワーク上からダウンロードして視聴することが考えられる。しかしながら上記従来例では、記録媒体上に記録されたコンテンツを管理する方法は提供されていたが、ダウンロードした外部コンテンツを管理するという方法については特に考慮されていなかった。また、再生装置に内蔵された記憶手段の記憶容量は有限であり、ダウンロードした外部コンテンツを削除する必要が生じる。
【０００６】
本発明は係る点に鑑みてなされたものであって、その目的は記録媒体上に記録されたコンテンツに関連する外部コンテンツを、ネットワーク上からダウンロードし、外部コンテンツを記録媒体と関連付けて管理することにより、適切な再生制御を行うことにある。また、ユーザの手間を増やすことなく、再生装置の記憶手段のメモリ空間を有効に利用する方法を提供することを目的とする。
【課題を解決するための手段】
【０００７】
上記目的を達成するために本発明では、記録媒体上の情報及び関連情報の再生を制御するプログラムであって、記録媒体上に記録されている所定の情報に関連した特定情報を外部から取得するステップと、前記特定情報の再生条件を外部から取得するステップと、記録媒体の媒体識別情報を取得するステップとを有し、特定情報を取得した場合には、再生装置内の記憶装置に、前記媒体識別情報との関連付けを行い、前記再生条件とともに記憶するように制御を行うことを特徴とするプログラムを用いる。
【０００８】
また本発明では、記録媒体上の情報及び関連情報の再生を制御するプログラムであって、再生装置内の記憶装置に記憶した特定情報の再生条件を判定するステップと、記録媒体の媒体識別情報を取得するステップを有し、記録媒体上に記録されている所定の情報に関連した特定情報を再生する場合には、前記再生条件を判定し、判定の結果が再生可能であれば特定情報を再生するように制御を行うことを特徴とするプログラムを用いる。
【０００９】
さらに本発明では、記録媒体上の情報及び関連情報の再生を制御するプログラムであって、再生装置内の記憶装置に記憶した特定情報を削除するステップと、再生装置内の記憶装置に記憶した前記特定情報の再生条件を削除するステップを有し、前記再生条件を判定し、判定の結果が再生不可であれば前記特定情報および前記再生条件を再生装置内の記憶装置から削除するように制御を行うことを特徴とするプログラムを用いる。
【００１０】
さらに本発明では、前記特定情報および前記再生条件の削除確認を行うステップを有し、前記削除確認を行った結果が「削除実行」であるならば、前記特定情報および前記再生条件を削除するように制御を行うことを特徴とするプログラムを用いる。
【００１１】
さらに本発明では、前記特定情報および前記再生条件の削除確認の実行要否を判定するステップと、前記特定情報および前記再生条件の削除確認を行うステップを有し、前記削除確認の実行要否を判定した結果が「確認要」であるならば、前記削除確認を実行し、さらに前記削除確認を行った結果が「削除実行」であるならば、前記特定情報および前記再生条件を削除するように制御を行うことを特徴とするプログラムを用いる。
【００１２】
またさらに、これらのプログラムを記録した記録媒体、ないしはこれらのプログラムを記憶した再生装置を用いる。
【００１３】
また再生装置としては、記録媒体が挿入されていない場合でも、前記記憶装置に記憶された特定情報の再生および削除を行うことが可能なように構成する。
【発明の効果】
【００１４】
本発明によるプログラム、記録媒体及び再生装置によれば、外部コンテンツのダウンロード時に、その再生条件を同時にダウンロードすることで、コンテンツの作成者が意図する再生制御を行うことが可能とになり、適切に著作権の管理が行える。
【００１５】
また、再生できない外部コンテンツは自動的にメモリから削除されるので、無駄にメモリを占有することが無く、有効活用が行える。
【発明を実施するための最良の形態】
【００１６】
以下、図面を用いて本発明の実施形態について説明する。
【実施例１】
【００１７】
図２は本発明による制御プログラムにおいて、ディスク上に記録されたコンテンツに関連する特定コンテンツを、ネットワーク上に取得しにいく場合の動作例を示すフローチャートである。同図において、Ｓ２０１は開始ステップ、Ｓ２０２は特定コンテンツ取得指示ステップ、Ｓ２０３は特定コンテンツおよび再生条件取得ステップ、Ｓ２０４はディスクＩＤ取得ステップ、Ｓ２０５は特定コンテンツ記憶ステップ、Ｓ２０６は終了ステップである。
【００１８】
図２に示したプログラムのフローチャートをステップ毎に説明する。
まず動作開始（Ｓ２０１）により、特定コンテンツの取得指示（Ｓ２０２）においてプログラムの実行が行われる。具体的には例えば図５に示すようなディスク内容を示す基本メニュー画面において、ユーザによって関連情報ボタン５０１が選択され、ディスク上に記録されたコンテンツに関連する特定情報の取得が指示された場合にあたる。ユーザによる選択は、再生装置自体、あるいはリモコン上に用意されたカーソルキー及び実行キーなどで行われる。
【００１９】
これをきっかけとして、ディスク上に記録されたコンテンツの関連情報として、特定コンテンツおよび再生条件の取得が行われる（Ｓ２０３）。具体的には例えば図５における関連情報ボタン５０１に設定されたネットワーク上のアドレスへのアクセスが行われる。図６は前記アクセスの結果表示される、コンテンツ提供者のホームページの一例を示している。特定コンテンツの提供は、再生装置に挿入されているディスクの販売者あるいは作成者が、ディスク購入に付帯するサービスの一環として行うことが考えられるが、有償、無償を含むこの段階での特定コンテンツの提供方法及びその内容は、特に限定されるものではない。ユーザは好みの特定コンテンツを選択して、ダウンロードを行うことが可能である。このとき、特定コンテンツの再生条件となる情報も同時にダウンロードされ再生装置のメモリ上に保持される。
【００２０】
特定コンテンツのダウンロードが行われると、続いてディスクＩＤの取得が行われる（Ｓ２０４）。具体的な取得方法については後述する。またここではディスクＩＤとしているが、ディスクを判別できる情報、あるいはディスクに記録されたコンテンツを判別できる情報であれば、その情報は一種類に限定されるものではない。ここで取得されるディスクＩＤは、例えば１０桁の整数値として与えられる。ディスクＩＤは、全てのディスクで異なるように設定しても良いし、ディスクタイトル毎に異なるようにしても良い。
続いてダウンロードした特定コンテンツは、再生装置内のメモリに記憶される（Ｓ２０５）。
【００２１】
図１は再生装置内のメモリに記憶される特定コンテンツの記憶方式の一例を示したものであり、各コンテンツに対してディスクＩＤを関連付け、その内容に関する符号、テキスト情報を付して記憶することを示している。例えば特定コンテンツＥとして映画予告編のビデオクリップをダウンロードした場合、そのときのディスクＩＤ「３３３３３３３３３３」が関連付けられ、付帯情報としてビデオクリップを示す符号「Ｖ」及び内容を示すテキスト情報「予告編」が合わせて関連付けて記憶される。ただし符号やテキスト情報といった付帯情報はこの形式に限定されるものではなく、特定コンテンツの内容を特徴付けるものであれば問題はない。少なくともディスクＩＤとの関連付けを行って記憶するものとする。
【００２２】
特定コンテンツの取得動作は以上により終了する（Ｓ２０６）が、前記ダウンロードの段階で、特定コンテンツの内容によっては同時に再生を行うことも可能である。
【００２３】
次に本発明による再生装置の実施形態を説明する。
図３は本発明による再生装置のブロック図であり、記録媒体に光ディスク用いた再生装置を示している。３００は再生装置、３０１は光ディスク、３０２はユーザＩ／Ｆ、３０３は制御部、３０４はメモリ、３０５はトラックバッファ、３０６はドライブ、３０７はピックアップ、３０８はネットワーク制御部、３０９はネットワークＩ／Ｆ、３１０はデコーダ部、３１１は出力部である。
【００２４】
再生を開始する場合、ユーザは所望の光ディスク３０１を再生装置３００に挿入し、図示しないリモコンあるいは再生装置本体キーにより、再生指示を行う。ユーザＩ／Ｆ３０２を介して入力されたユーザの指示入力は、制御部３０３で解釈され、制御部３０３は光ディスク３０１の再生を開始する。
【００２５】
光ディスク３０１上には映像や音声といったＡＶファイルだけではなく、ファイルの再生順序を示すプレイリストファイル、所定の手続き処理を行うプログラムファイルなどが記録されている。まず光ディスク３０１上に記録されているファイルを識別するため、ファイル管理情報が読み出される。具体的には、制御部３０３がドライブ３０６に対して、所定のセクターに書かれているアンカー情報の読み出しを指示し、光ピックアップ３０７を介して所定のセクターのデータが読み出される。この情報によりファイル管理情報の記録位置を求め、ファイル管理情報を読み出す。ファイル管理情報の記録方法は、例えばＵＤＦ（Ｕｎｉｖｅｒｓａｌ  Ｄｉｓｃ  Ｆｏｒｍａｔ）に代表されるファイルシステムを用いればよい。ファイルシステムを用いることにより、ディスク上に記録された情報をそれぞれファイルとして扱うことができ、ファイル識別子（ファイル名）により、読み出すファイルを指定することができる。
【００２６】
再生開始時には、前記管理情報ファイルにより指定されるファイルが読み出されるが、この場合は初期起動プログラムであっても、メニュー表示のためのプレイリストファイルであっても良い。具体的には制御部３０３によって光ディスク３０１から指定されたファイルが読み出され、その段階で当該ファイルがプレイリストなのか、プログラムなのかなどの情報が付加されているので、この情報に従い処理が行われる。つまり最初に読み出されたファイルが、初期起動プログラムに相当するファイルであった場合には、プログラムである旨の前記情報が付加されているので、制御部３０３は読み出したファイルをプログラムとして実行を行う。具体的には制御部３０３中の記憶領域に読み出されたプログラムが展開され、順次解析実行が行われる。例えば初期起動プログラムの実行内容として、前述の図５のような基本メニュー画面が表示されれば良い。また最初に読み出されたファイルが、プレイリストファイルに相当するものであった場合には、制御部３０３はそのファイル内容を解析して、やはり前述の図５のような基本メニュー画面を表示するようにする。
【００２７】
ここで、外部コンテンツの取得ではなく、内部コンテンツ、つまり光ディスク３０１に記録されたＡＶファイルの再生手順について説明しておく。例えば前述の図５において、タイトルボタンが選択された場合、制御部３０３は光ディスク３０１に記録された、所定のストリームデータの再生を開始する。まず制御部３０３の指示により、光ディスク３０１からドライブ３０６によりピックアップ３０７が制御されて、ストリームデータが任意のデータ位置から読み出され、一旦トラックバッファ３０５に蓄積される。ドライブ３０６の転送レートとストリームデータの符号化レートの差分が吸収されてトラックバッファ３０５からストリームデータは読み出され、デコーダ部３１０において画像データと音声データが分離及び復号されて、出力部３１１において適当な信号形式で出力される。
なお再生画面以外のユーザへ提示を行う画面も、メモリ３０４、あるいはネットワーク制御部３０８から、デコーダ部３１０を介して出力部３１１に出力される。
【００２８】
次に、外部コンテンツ取得時の動作について説明する。図５における関連情報ボタン５０１がユーザによって選択された場合、制御部３０３はそこに指定されているプログラムファイルを光ディスク３０１から前述と同様の手順により読み出しに行く。読み出されたファイルは制御部３０３によってプログラムとして認識されるので、前述の初期起動プログラムの場合と同様に、その内容が順次実行される。この場合はプログラムの実行によりネットワーク上の所定のアドレスが指定されるので、制御部３０８はこれをネットワーク制御部３０８に引渡し、ネットワーク制御部３０８はこれを解釈してネットワークＩ／Ｆ３０９を介して前記ネットワーク上の所定アドレスへのアクセスを行う。なお、ここでは関連情報ボタン５０１をきっかけとして、光ディスク３０１からプログラムファイルが読み出される場合について述べているが、プログラムと同様の処理手順を再生装置として初めから制御部３０３に組み込んでおき、関連情報ボタン５０１の選択では、直接ネットワーク上の所定アドレスが指定されるように構成しても同様の効果を得ることができる。
【００２９】
ネットワーク上の所定のアドレスにアクセスが行われると、前述の通り図６に示すようなコンテンツ提供者のホームページ画面が提示される。ユーザは所望のコンテンツを選択して、ダウンロードの指示を行う。
【００３０】
このとき、各コンテンツごとの再生条件が示される。例えば図１に示すように、無制限に再生可能、再生回数制限あり、再生期間制限あり、再生ディスク制限あり、などの条件である。無制限に再生可能であれば、ダウンロードしたコンテンツを、ユーザが望むときに再生可能である。再生回数制限であれば、ダウンロードしたコンテンツを指定回数より多く再生することはできない。再生期間制限であれば、ダウンロードしたコンテンツをダウンロードした期日より指定期間の間だけ無制限に再生可能である。再生ディスク制限ありであれば、ダウンロードしたコンテンツを再生するためには、指定のディスクＩＤをもつディスクを再生装置に入れておく必要があり、指定のディスクＩＤをもつディスクを再生装置が認識した状態であれば、ダウンロードしたコンテンツを無制限に再生可能である。
【００３１】
ここでネットワークの構成について、図４を用いてもう少し詳しく説明する。図４は再生装置を使用するユーザと、ネットワーク上に存在するコンテンツ提供者の構成を模式的に示した図である。４０１がユーザサイド、４０２がコンテンツ提供者サイド、３００は図３による再生装置、４０３はネットワーク網、４０４はコンテンツ配信制御部、４０５はデータサーバである。
【００３２】
ユーザの指示入力により、再生装置３００において特定コンテンツの取得が指示された場合、つまり図６において任意のコンテンツが選択された場合、コンテンツ提供者サイド４０２では、コンテンツ配信制御部４０４がその内容を認識し、データサーバ４０５から該当するデータを読出し、ネットワーク網４０３に送出する。コンテンツ提供者がコンテンツに課金、あるいは提供内容を制限したい場合には、コンテンツ配信制御部４０４において所望の制限動作を行うように構成する。
【００３３】
特定コンテンツとその再生条件のダウロードが行われた段階で、制御部３０３は光ディスク３０１のディスクＩＤの取得を行う。具体的には制御部３０１はドライブ３０６に対して、ＢＣＡ（Ｂｕｒｓｔ Ｃｕｔｔｉｎｇ Ａｒｅａ）と呼ばれるディスク識別番号を読み出すよう指令を送る。ドライブ３０６は光ディスク３０１に記録されているＢＣＡ情報を読出し、制御部３０１に返す。ＢＣＡには、ディスクに記録されているコンテンツの作成メーカー、タイトル、シリーズ名、シリアル番号などを数値化して記録しておき、ディスクＩＤとして使用する。
【００３４】
なお、前述したがここではディスクＩＤとしてＢＣＡを用いているが、ディスクを判別できる情報、あるいはディスクに記録されたコンテンツを判別できる情報であれば、その内容はＢＣＡに限定されるものではない。
【００３５】
また本実施例では特定コンテンツのダウンロードが行われた段階で、ディスクＩＤの取得を行うような処理順序としているが、ディスクＩＤはそれ以前の段階で取得しておいても特に問題はない。
【００３６】
ディスクＩＤの取得が行われると、前記ダウンロードした特定コンテンツとその再生条件は図１に示される関連付けが行われて、メモリ３０４に記憶される。符号やテキスト情報の内容については、ダウンロードした特定コンテンツに基づいて、制御部３０３が生成しても良いし、前述のコンテンツ配信制御部４０４により用意され、コンテンツと合わせて取得されるような情報を用いても構わない。またメモリ３０４への記憶フォーマットに関しては、特定のリストファイルを生成したり、取得したコンテンツ毎に付加情報ファイルを生成したりするなど、少なくとも任意のコンテンツに付随する情報の内容がわかる構成にすれば良い。
【実施例２】
【００３７】
図７は本発明による第２の実施例としての、制御プログラムの動作を示すフローチャートである。実施例１の場合と同様に、ディスク上に記録されたコンテンツに関連する特定コンテンツを取得しにいく場合の動作例を示している。なお図２に対応する部分には、同一の符号を付して詳細な説明は省略する。Ｓ７０１は判別ステップ、Ｓ７０２はメモリ内情報表示ステップ、Ｓ７０３は特定コンテンツ選択再生ステップである。
【００３８】
特定コンテンツの取得指示（Ｓ２０２）が行われると、まず前述のディスクＩＤ取得が行われる（Ｓ２０４）。続いて取得したディスクＩＤを用いて、再生装置のメモリ内に図１の形式で同一のディスクＩＤに関連付いた特定コンテンツが記憶されているかどうかの判別を行う（Ｓ７０１）。記憶されていない場合には実施例１の場合と同様な手順により、ネットワーク上へ特定コンテンツおよび再生条件を取得しにいき（Ｓ２０３）、取得済のディスクＩＤと関連付けて、特定コンテンツをメモリに記憶する（Ｓ２０５）。
【００３９】
判別ステップＳ７０１において、取得したディスクＩＤと同一のディスクＩＤに関連付いた特定コンテンツがメモリ上に記憶されている場合、そのディスクＩＤに関連付いた特定コンテンツとその再生条件を、全て一覧表示する（Ｓ７０２）。例えば図８に示すような形式で一覧表示すれば分かりやすい。各ボタンに表示される文字は図１におけるテキスト情報に相当するものとなっており、また外部アクセスボタン８０１を設け、この段階で外部ネットワークへ特定コンテンツを取得しに行くことも可能とする。外部アクセスボタン８０１が選択された場合には、以降の処理は特定コンテンツ取得ステップＳ２０３以降と同様となる。各ボタンの右に示された情報は、各コンテンツの再生可否およびその理由などの説明である。図８においてユーザが所望の特定コンテンツを選択した場合には、その特定コンテンツの再生条件を確認する（Ｓ７１０）。再生条件の確認の結果（Ｓ７１１）、再生不可能であれば、その旨ユーザに通知し（Ｓ７１２）、メモリ内情報の一覧表示に戻る（Ｓ７０２）。再生条件の確認の結果（Ｓ７１１）、再生可能であれば、その内容に応じて所定の再生を行うようにする（Ｓ７０３）。
【００４０】
本実施例における再生装置としては、図３における制御部３０３が判別ステップＳ７０１以降の一連の処理を制御し、メモリ３０４に記憶された特定コンテンツを選択再生するように動作する。
【００４１】
図９は、再生条件の判定および外部コンテンツの削除を行う手順を示したフローチャートである。
なお図７に対応する部分には、同一の符号を付して詳細な説明は省略する。
ステップＳ７０２でメモリ内情報を表示したあと、再生条件の確認を行う。まず再生条件として、ディスクＩＤ比較かどうか判定する（Ｓ９０１）。再生条件が、ディスクＩＤが一致することであれば、外部コンテンツをダウンロードしたときにメモリに保持したディスクＩＤと、ステップＳ２０４で取得したディスクＩＤを比較する（Ｓ９０２）。一致すれば、ステップＳ７１１で再生可能と判定され、不一致ならば、ステップＳ７１１で再生不可能と判定される。再生条件が、ディスクＩＤが一致することでなければ、再生条件として、再生期限かどうか判定する（Ｓ９０３）。再生条件が、再生期限以内であることであれば、現在時刻が、外部コンテンツをダウンロードした時刻から起算して再生期限内かどうかを判定する（Ｓ９０４）。再生期限内であれば、ステップＳ７１１で再生可能と判定され、再生期限内でなければ、ステップＳ７１１で再生不可能と判定される。再生条件が、ディスクＩＤが一致することでなければ、再生条件は特に指定されておらず、無制限に再生可能とみなす（Ｓ７１１）。ステップＳ７１１で再生可能と判定されれば、その内容に応じて所定の再生を行うようにする（Ｓ７０３）。ステップＳ７１１で再生不可能と判定されれば、そのコンテンツを削除し、削除した旨ユーザに通知し（Ｓ９０５）、メモリ内情報表示に戻る（Ｓ７０２）。
【００４２】
本実施例における再生装置としては、図３における制御部３０３がステップＳ７０１以降の一連の処理を制御し、メモリ３０４に記憶された特定コンテンツおよび再生条件を削除するように動作する。
【００４３】
なお、再生条件の判定および外部コンテンツの削除を行うプログラムを、再生装置があらかじめ内蔵している場合で説明したが、外部コンテンツとともにダウンロードする再生条件の一部として、上記の削除プログラムが含まれていてもよい。この場合は、図９の再生条件確認（Ｓ９０１、Ｓ９０３など）の段階で、再生条件にプログラムが含まれることを検出し、以降の処理をそのプログラムを用いて実行する。これにより、再生装置の再生条件判定プログラムに依存することなく、コンテンツ作成者が意図した再生制御を行うことができる。
【００４４】
また、再生条件として、ディスクＩＤの一致、再生期限の例を示したが、これに限定されるものではなく、他にも例えば、コンテンツの再生回数を制限するという条件や、複数の条件を組み合わせて条件とするといった方法もある。
【００４５】
また、再生装置のメモリの空き領域を確保するために、メモリ上に記憶した外部コンテンツの削除を優先して行いたい場合は、ステップＳ７０２の直後に、選択したコンテンツを削除するかどうか選択するステップを設け、再生条件に合致しなかった場合に限らず削除可能とすることで実現可能である。
【００４６】
本実施例に拠れば、外部コンテンツのダウンロード時に、その再生条件を同時にダウンロードすることで、コンテンツの作成者が意図する再生制御を行うことが可能となり、適切に著作権の管理が行える。また、再生できない外部コンテンツは自動的にメモリから削除されるので、無駄にメモリを占有することが無く、有効活用が行える。
【００４７】
以上の実施例において、特定コンテンツを記憶するメモリとして特にその種類を限定しなかったが、ＨＤＤや着脱可能な半導体メモリなど、本発明の用途に使用できるものならば特に問題はない。また各実施例において、記録媒体として光ディスクを使用する場合について説明したが、これはこの限りではなく、様々な記録媒体に対して応用可能である。
【図面の簡単な説明】
【００４８】
【図１】記憶装置に記憶される特定コンテンツ、ディスクＩＤ及び付帯情報の関連付けを示す図
【図２】本実施例による制御プログラムの実施例のコンテンツおよび再生条件のダウンロード動作を示すフローチャートを示す図
【図３】再生装置のブロック図
【図４】ネットワーク接続状態を示す図
【図５】基本メニューの画面例を示す図
【図６】コンテンツ提供者の提供画面例を示す図
【図７】本発明による制御プログラムの実施例の再生条件確認動作を示すフローチャートを示す図
【図８】コンテンツ一覧表示画面例を示す図
【図９】本発明による制御プログラムの実施例の再生条件確認およびコンテンツ削除動作を示すフローチャートを示す図
【符号の説明】
【００４９】
３００  再生装置
３０１  光ディスク
３０２  ユーザＩ／Ｆ
３０３  制御部
３０４  メモリ
３０５  トラックバッファ
３０６  ドライブ
３０７  ピックアップ
３０８  ネットワーク制御部
３０９  ネットワークＩ／Ｆ
３１０  デコーダ部
３１１  出力部
【図１】
2005092473.tif 000003
【図２】
2005092473.tif 000004
【図３】
2005092473.tif 000005
【図４】
2005092473.tif 000006
【図５】
2005092473.tif 000007
【図６】
2005092473.tif 000008
【図７】
2005092473.tif 000009
【図８】
2005092473.tif 000010
【図９】
2005092473.tif 000011